(57)【要約】【課題】選択して多重する複数のチャネルからのデジタル信号の入力レートの総和が、伝送路への許容伝送レート以下であるか等を、容易に確認することができるデジタル信号多重化装置およびデジタル信号多重化装置用表示画面を提供する。【解決手段】複数のチャネルの中から多重する複数のチャネルを選択する操作手段２と、複数のチャネルの各デジタル信号の入力レートを算出する入力レート算出手段３と、伝送路への出力レートを算出する出力算出手段５と、算出した伝送路への出力レートと、算出した複数のチャネルの各デジタル信号の入力レートのうち操作手段で選択した複数のチャネルにおける入力レートの総和とに基づき、伝送路への出力許容伝送レートおよび出力算出手段で算出した残りの許容伝送レートを算出する許容算出手段４と、算出した残りの許容伝送レートを表示する表示手段６を備えたことを特徴とする。【選択図】　図１
2004032031.tif 000002
【特許請求の範囲】
【請求項１】
複数のチャネルの中から多重する複数のチャネルを選択する操作手段と、前記複数のチャネルの各デジタル信号の入力レートを算出する入力レート算出手段と、伝送路への出力レートを算出する出力レート算出手段と、該算出した伝送路への出力レートと、前記算出した複数のチャネルの各デジタル信号の入力レートのうち前記操作手段で選択した複数のチャネルにおける入力レートの総和とに基づき、前記伝送路への出力許容伝送レートおよび残りの許容伝送レートを算出する許容算出手段と、前記算出した残りの許容伝送レートを表示する表示手段を備えたことを特徴とするデジタル信号多重化装置。
【請求項２】
請求項１記載のデジタル信号多重化装置において、さらに、前記操作手段で選択した複数のチャネルのデジタル信号を時分割多重して前記伝送路へ出力する多重手段を備えたことを特徴とするデジタル信号多重化装置。
【請求項３】
請求項１または２記載のデジタル信号多重化装置において、前記選択した複数のチャネルにおける入力レートの総和が前記残りの許容伝送レートを超えた場合に前記許容算出手段がアラーム情報を出力し、該アラーム情報を前記表示手段で表示することを特徴とするデジタル信号多重化装置。
【請求項４】
請求項１から３のうちいずれかに記載のデジタル信号多重化装置において、前記表示手段は、前記残りの許容伝送レートの他に、前記複数のチャネルの各デジタル信号の入力レートと、前記選択された複数のチャネルにおける入力レートの総和と、前記伝送路への出力許容伝送レートの少なくとも１つを表示することを特徴とするデジタル信号多重化装置。
【請求項５】
請求項１から４のうちいずれかに記載のデジタル信号多重化装置において、前記表示手段は、前記残りの許容伝送レートを、前記伝送路への出力許容伝送レートを示す枠の中に、前記選択された複数のチャネルにおける入力レートの総和とともに表示することを特徴とするデジタル信号多重化装置。
【請求項６】
複数のチャネルのデジタル信号のうち選択された複数のチャネルのデジタル信号を多重化するために、前記複数のチャネルの各デジタル信号の入力レートと、前記選択された複数のチャネルにおける入力レートの総和と、伝送路への出力許容伝送レートと、残りの許容伝送レートの少なくとも１つを表示することを特徴とするデジタル信号多重化装置用表示画面。
【請求項７】
複数のチャネルからのデジタル信号のうち選択された複数のチャネルのデジタル信号を多重化するために、伝送路への出力許容伝送レートを示す枠の中に、前記選択された複数のチャネルにおける入力レートの総和と、残りの許容伝送レートを表示することを特徴とするデジタル信号多重化装置用表示画面。
【請求項８】
複数のチャネルからのデジタル信号のうち選択された複数のチャネルのデジタル信号を多重化するために、前記複数のチャネルの各デジタル信号の入力レートと、前記選択された複数のチャネルにおける入力レートの総和と、伝送路への出力許容伝送レートと、残りの許容伝送レートを表示するとともに、前記伝送路への出力許容伝送レートを示す枠の中に、前記選択された複数のチャネルにおける入力レートの総和とともに前記残りの許容伝送レートを表示することを特徴とするデジタル信号多重化装置用表示画面。
【請求項９】
請求項６から８のうちいずれかに記載のデジタル信号多重化装置用表示画面において、前記選択された複数のチャネルにおける入力レートの総和が前記残りの許容伝送レートを超えた場合にそのことを示すアラーム情報を表示することを特徴とするデジタル信号多重化装置用表示画面。
【発明の詳細な説明】
【０００１】
【発明の属する技術分野】
本発明は、複数の低ビットレートのデジタル信号を、高ビットレートの伝送路を利用して同時に時分割多重伝送するデジタル信号多重化装置およびデジタル信号多重化装置用表示画面に関するものである。
【０００２】
【従来の技術】
近年の映像及び音声データ等のデジタル信号伝送方式では、ＭＰＥＧ２　ＴＳ（トランスポートストリーム）を用いた多重化伝送方式が用いられている。それは、複数のＭＰＥＧ圧縮処理された映像及び音声信号を、ＴＳ信号形式にて時分割多重し、高ビットレートの伝送路を介して同時に伝送するものである。
【０００３】
上記の方式を用いた多重化装置においては、各チャネルの入力ＴＳ信号の入力レートの総和が多重する伝送路の許容出力レートを超えて伝送することはできない。それは、多重する各チャネルの入力ＴＳ信号の入力レートの総和が伝送路への許容伝送レートを超えてしまうと、各チャネルに設けられたバッファに対する書込みレートよりも読み出しレートの方か遅くなるため、バッファの破綻（オーバーフロー）を引き起こすからである。このためユーザーは、常に多重伝送する各チャネルの入力ＴＳ信号の入力レートの総和が伝送路への出力許容伝送レートを超えないように考慮する必要がある。
【０００４】
【発明が解決しようとする課題】
しかしながら、従来では、新たに多重伝送システムを構築する場合や、各入力チャネルのレートを変更する場合、または多重するチャネル数を変更する場合に、随時、ユーザー自らが、選択して多重する各チャネルからの入力ＴＳ信号の入力レートを加算して、その総和が、伝送路への許容伝送レート以下であるかどうかを確認する、各チャネルの入力レートの管理を行う必要があった。
【０００５】
本発明の目的は、選択して多重する複数のチャネルからのデジタル信号の入力レートの総和が、伝送路への許容伝送レート以下であるか等を、容易に確認することができるデジタル信号多重化装置およびデジタル信号多重化装置用表示画面を提供することにある。
【０００６】
【課題を解決するための手段】
本発明は、複数のチャネルの中から多重する複数のチャネルを選択する操作手段と、前記複数のチャネルの各デジタル信号の入力レートを算出する入力レート算出手段と、伝送路への出力レートを算出する出力レート算出手段と、該算出した伝送路への出力レートと、前記算出した複数のチャネルの各デジタル信号の入力レートのうち前記操作手段で選択した複数のチャネルにおける入力レートの総和とに基づき、前記伝送路への出力許容伝送レートおよび残りの許容伝送レートを算出する許容算出手段と、前記算出した残りの許容伝送レートを表示する表示手段を備えたことを特徴とするデジタル信号多重化装置である。
【０００７】
本発明は、さらに、前記操作手段で選択した複数のチャネルのデジタル信号を時分割多重して前記伝送路へ出力する多重手段を備えたことを特徴とするデジタル信号多重化装置である。
【０００８】
本発明は、前記選択した複数のチャネルにおける入力レートの総和が前記残りの許容伝送レートを超えた場合に前記許容算出手段がアラーム情報を出力し、該アラーム情報を前記表示手段で表示することを特徴とするデジタル信号多重化装置である。
【０００９】
本発明で、前記表示手段は、前記残りの許容伝送レートの他に、前記複数のチャネルの各デジタル信号の入力レートと、前記選択された複数のチャネルにおける入力レートの総和と、前記伝送路への出力許容伝送レートの少なくとも１つを表示することを特徴とするデジタル信号多重化装置である。
【００１０】
本発明で、前記表示手段は、前記残りの許容伝送レートを、前記伝送路への出力許容伝送レートを示す枠の中に、前記選択された複数のチャネルにおける入力レートの総和とともに表示することを特徴とするデジタル信号多重化装置である。
【００１１】
本発明は、複数のチャネルのデジタル信号のうち選択された複数のチャネルのデジタル信号を多重化するために、前記複数のチャネルの各デジタル信号の入力レートと、前記選択された複数のチャネルにおける入力レートの総和と、伝送路への出力許容伝送レートと、残りの許容伝送レートの少なくとも１つを表示することを特徴とするデジタル信号多重化装置用表示画面である。
【００１２】
本発明は、複数のチャネルからのデジタル信号のうち選択された複数のチャネルのデジタル信号を多重化するために、伝送路への出力許容伝送レートを示す枠の中に、前記選択された複数のチャネルにおける入力レートの総和と、残りの許容伝送レートを表示することを特徴とするデジタル信号多重化装置用表示画面である。
【００１３】
本発明は、複数のチャネルからのデジタル信号のうち選択された複数のチャネルのデジタル信号を多重化するために、前記複数のチャネルの各デジタル信号の入力レートと、前記選択された複数のチャネルにおける入力レートの総和と、伝送路への出力許容伝送レートと、残りの許容伝送レートを表示するとともに、前記伝送路への出力許容伝送レートを示す枠の中に、前記選択された複数のチャネルにおける入力レートの総和とともに前記残りの許容伝送レートを表示することを特徴とするデジタル信号多重化装置用表示画面である。
【００１４】
本発明は、前記選択された複数のチャネルにおける入力レートの総和が前記残りの許容伝送レートを超えた場合にそのことを示すアラーム情報を表示することを特徴とするデジタル信号多重化装置用表示画面である。
【００１５】
【発明の実施の形態】
以下、本発明によるデジタル信号多重化装置の実施の形態を説明する。
【００１６】
図１は、１〜ｎチャネルの入力ＴＳ信号の多重が可能なデジタル信号多重化装置の実施の形態の構成を示す図である。１〜ｎチャネルの入力ＴＳ信号ａ１，ａ２〜ａｎと入力ＴＳ信号ａ１，ａ２〜ａｎのクロックｃｋ１，ｃｋ２〜ｃｋｎが多重部１に入力され、多重部１で時分割多重可能である。
【００１７】
多重部１は、多重する複数入力ＴＳ信号を選択可能な選択部と、選択された複数入力ＴＳ信号を多重する多重化部からなる。
【００１８】
ユーザーは、多重する複数入力ＴＳ信号を、多重チャネル操作部２で選択操作する。選択操作すると、チャネル選択情報ｃが多重部１の上記選択部に伝達され、該選択部は多重チャネル操作部２で選択した複数入力ＴＳ信号と関連するクロックのみを、１〜ｎチャネルの入力ＴＳ信号ａ１，ａ２〜ａｎと各クロックｃｋ１，ｃｋ２〜ｃｋｎから選択する。
【００１９】
１〜ｎチャネルの入力ＴＳ信号ａ１，ａ２〜ａｎの各クロックｃｋ１，ｃｋ２〜ｃｋｎは、入力レート情報算出部３１，３２〜３ｎに入力され、入力レート情報算出部３１，３２〜３ｎで、１〜ｎチャネルの入力ＴＳ信号ａ１，ａ２〜ａｎの入力レート情報ｂ１，ｂ２〜ｂｎを算出し、許容伝送レート情報算出部４に出力する。
【００２０】
許容伝送レート情報算出部４では、多重チャネル操作部２で選択した上記チャネル選択情報ｃが入力され、したがって入力レート情報算出部３１，３２〜３ｎから入力された、１〜ｎチャネルの入力ＴＳ信号ａ１，ａ２〜ａｎの入力レート情報ｂ１，ｂ２〜ｂｎのうち、選択した複数入力ＴＳ信号の入力レート情報を抽出し、加算して総和を求める。
【００２１】
許容伝送レート情報算出部４には、伝送路からのリファレンスクロックｇを入力とする出力レート情報算出部５で算出した、伝送路への出力レート情報ｄも入力され、上記の、選択した複数入力ＴＳ信号の入力レート情報を加算して求めた総和ｘを、伝送路への出力許容伝送レート情報ｄ×α（但し、αは多重化方式で決まる定数で、付加ヘッダ情報や追加パケット情報などの付加情報を差し引いた割合）から減算して得た残りの許容伝送レートを算出し、残りの許容伝送レートを含む表示情報ｅを表示部６に出力する。
【００２２】
したがって、ユーザーは表示部６の表示画面をみるだけで、多重伝送する複数のチャネルの入力レートの、伝送路に対する残りの許容伝送レートを、容易に確認することができる。
【００２３】
ユーザーは表示部６の表示画面をみて、残りの許容伝送レートがあることを確認し、多重チャネル操作部２で確定操作すると、確定情報ｆが多重部１の上記多重化部に伝達され、選択した複数入力ＴＳ信号と関連するクロックを時分割多重して多重データｈを伝送路へ出力する。
【００２４】
図１において、入力レート情報算出部３１，３２〜３ｎと出力レート情報算出部５の回路は共通で、図２のレート情報算出部回路で構成される。
【００２５】
図２のレート情報算出部回路は、入力レート情報をカウントするカウンタ２１とカウンタ２１に接続され出力レート情報を出力するフリップフロップ２２を備え、リファレンスクロック発生器２３からのクロックをカウンタ２４とフリップフロップ２５とフリップフロップ２２のクロック端子に入力し、カウンタ２４でカウントしたクロックを基に、カウントデコーダ２６で、例えば１秒に一回のパルスを発生するイネーブル信号ｉを出力し、イネーブル信号ｉをフリップフロップ２５とフリップフロップ２２のイネーブル端子に供給し、フリップフロップ２５で遅延したクリア信号ｊを出力して、カウンタ２１のクリア端子に入力することで、カウンタ２１はクリア信号ｊのパルスでクリアされた後の１秒後に、次のパルスが入力されてクリアされるまでのカウント値を、フリップフロップ２２に伝達し、フリップフロップ２２では、イネーブル信号ｉのパルスにより、クリア信号ｊのパルスの直前のカウント値を出力し、この出力の値を上記レート情報としている。
【００２６】
また図１の許容伝送レート情報算出部４のうちの、上記残りの許容伝送レートの算出とアラーム発生の回路は、図３の回路で構成される。入力ＴＳ信号の入力レート情報ｂ１，ｂ２〜ｂｎの内選択した複数入力ＴＳ信号のみを加算器３１で加算して総和ｘを求め、減算器３２に入力する。一方、伝送路への出力レート情報ｄと多重化方式で決まる定数α３３を乗算器３４で乗算した結果の伝送路への出力許容伝送レートｄ×αを、減算器３２に入力する。減算器３２では、伝送路への出力許容伝送レートｄ×αから、選択した複数入力ＴＳ信号の総和ｘを減算して、残りの許容伝送レートｅ１を算出し、図１の表示部６に出力し、表示部６の表示画面に表示する。
【００２７】
選択した複数入力ＴＳ信号を多重して伝送路へ出力している間は、図１の表示部６に、残りの許容伝送レートｅ１がリアルタイムで表示されるので、ユーザーは表示画面をみることにより、選択した複数入力ＴＳ信号を多重して伝送中でも、残りの許容伝送レートｅ１を、容易に確認することができる。
【００２８】
また選択した複数入力ＴＳ信号を多重して伝送路へ出力中に、いずれかのチャネルにおいて入力レートに変更があった場合は、図１の表示部６の表示画面に表示された残りの許容伝送レートがリアルタイムで変化し、変化量が残りの許容伝送レートを超えると、図３において残りの許容伝送レートｅ１が−ｅ１となり、このことでアラーム発生器３５がアラーム情報ｅ２を出力し、表示部６の表示画面に表示する。
【００２９】
したがって、ユーザーは表示部６の表示画面をみることにより、伝送している選択した複数のチャネルからのデジタル信号の入力レートの総和が伝送路への出力許容伝送レート情報ｄ×αを超えていることを、容易に確認することができる。
【００３０】
以上、図１の表示部６においては、図３に図示の残りの伝送レートｅ１とアラーム情報ｅ２を表示することを説明したが、それだけでなく、上記で説明済みの選択された複数のチャネルからの入力ＴＳ信号の入力レートと、選択された複数のチャネルからの入力ＴＳ信号の入力レートの総和と、伝送路への許容伝送レートを表示すれば、複数のチャネルからの各入力レートおよび選択されたチャネルからの入力レートの総和がいくらかまた許容伝送レートがいくらかを容易に確認することができる。
【００３１】
また伝送路への出力許容伝送レートを示す横長の枠を設け、その枠の中に、選択された複数のチャネルからの入力レートの総和を示すバーと、残りの許容伝送レートを示すバーを表示すれば、残りの許容伝送レートをより容易に確認することができる。
【００３２】
図１の表示部６の表示画面を、図４に示す。表示画面４１に、複数のチャネルａ１，ａ２〜ａｎの項目４２と、複数のチャネルからの入力レートの項目４３と、選択された複数のチャネルからの入力レートの総和の項目４４と、伝送路への出力許容伝送レートの項目４５と、残りの許容伝送レートの項目４６が設けられていて、複数のチャネルからの入力レートの項目４３に、複数のチャネルからの入力レートを表示し、選択された複数のチャネルからの入力レートの総和の項目４４に、選択された複数のチャネルからの入力レートの総和を表示し、伝送路への出力許容伝送レートの項目４５に、伝送路への出力許容伝送レートを表示し、残りの許容伝送レートの項目４６に、残りの許容伝送レートを表示する。
【００３３】
また表示部６の表示画面４１に、伝送路への出力許容伝送レートを示す横長の枠４７を設け、その枠４７の中に、選択された複数のチャネルからの入力レートの総和を示すバー４８と、残りの許容伝送レートを示すバー４９を表示する。また伝送している選択された複数のチャネルからの入力レートが伝送路への出力許容伝送レート情報を超えたかどうかを示すアラーム枠５０を設け、超えた場合に枠５０内を表示する。
【００３４】
【発明の効果】
本発明によれば、選択して多重する複数のチャネルからのデジタル信号の入力レートの総和が、伝送路への許容伝送レート以下であるか等を、容易に確認することができるデジタル信号多重化装置およびデジタル信号多重化装置用表示画面を得ることができる。
【図面の簡単な説明】
【図１】本発明によるデジタル信号多重化装置の実施の形態の構成を示す図である。
【図２】図１の入力レート情報算出部および入力レート情報算出部に共通のレート情報算出部の回路図である。
【図３】図１の許容伝送レート情報算出部のうちの、残りの許容伝送レートの算出とアラーム発生を示す回路図である。
【図４】図１の表示部の表示画面を示す図である。
【符号の説明】
１：多重部、２：多重チャネル操作部、３１，３２〜３ｎ：入力レート情報算出部、４：許容伝送レート情報算出部、５：出力レート情報算出部、６：表示部、２１，２４：カウンタ、２２，２５：フリップフロップ、２３：リファレンスクロック発生器、２６：カウントデコーダ、３１：加算器、３２：減算器。３３：多重化方式で決まる定数α、３４：乗算器、３５：アラーム発生器、４１：表示画面、４２：複数のチャネルａ１，ａ２〜ａｎの項目、４３：複数のチャネルからの入力レートの項目、４４：選択された複数のチャネルからの入力レートの総和の項目、４５：伝送路への出力許容伝送レートの項目、４６：残りの許容伝送レートの項目、４７：伝送路への出力許容伝送レートを示す横長の枠、４８：選択された複数のチャネルからの入力レートの総和を示すバー、４９：残りの許容伝送レートを示すバー、５０：アラーム枠、ａ１，ａ２〜ａｎ：入力ＴＳ信号、ｂ１，ｂ２〜ｂｎ：入力レート情報、ｃｋ１，ｃｋ２〜ｃｋｎ：クロック、ｃ：チャネル選択情報、ｄ：伝送路への出力レート情報、ｅ：表示情報、ｅ１：残りの許容伝送レート、ｅ２：アラーム情報、ｆ：確定情報、ｇ：伝送路からのリファレンスクロック、ｈ：多重データ、ｉ：イネーブル信号、ｊ：クリア信号、ｘ：選択する入力ＴＳ信号の総和。
【図１】
2004032031.tif 000003
【図２】
2004032031.tif 000004
【図３】
2004032031.tif 000005
【図４】
2004032031.tif 000006